【事件の表示】
　特願２０１１−　３４９０７「端末装置、表示装置、端末装置連動システム、端末装置連動方法、及びプログラム」拒絶査定不服審判事件〔平成２４年　９月１０日出願公開、特開２０１２−１７５３６４、請求項の数（１０）〕について、次のとおり審決する。
【結　論】
　原査定を取り消す。
　本願の発明は、特許すべきものとする。
【理　由】
第１．手続の経緯
　本願は、平成２３年２月２１日の出願であって、平成２６年１０月３０日（起案日）付けで拒絶の理由が通知され、それに応答して平成２６年１２月２２日付けで手続補正がなされたが、平成２７年６月２２日（起案日）付けで拒絶査定がなされた。
　これに対し、平成２７年１０月１９日に拒絶査定不服審判が請求され、同時に手続補正がされたものである。
第２．平成２７年１０月１９日付けの手続補正の適否
１．補正の内容
　平成２７年１０月１９日付けの手続補正（以下、「本件補正」という。）は、平成２６年１２月２２日付けの手続補正による特許請求の範囲を補正するものであり、本件補正前及び本件補正後の特許請求の範囲は、それぞれ以下のとおりのものである（アンダーラインは補正箇所）。
（本件補正前の特許請求の範囲）
「【請求項１】
　映像を含むコンテンツを表示する表示装置と通信可能な端末装置であって、
　前記表示装置と情報を送受信する送受信部と、
　前記コンテンツの表示に連動させて前記端末装置のみで出力する要素を指定する情報である設定情報を受け付ける入力部と、
　前記設定情報を前記表示装置へ送信した後、前記設定情報に指定された要素を、前記コンテンツの表示に連動させて前記端末装置のみで出力するための制御データを前記表示装置から受信するように制御する連動制御部と、
　前記コンテンツの表示に連動させて、前記制御データを用いて、前記要素を出力する出力制御部と、を備える端末装置。
【請求項２】
　前記出力制御部は、さらに、
　自装置を振動させる振動制御部を有し、
　前記設定情報は、自装置を振動させることを指定する振動情報を含み、
　前記制御データは、前記コンテンツの表示に連動させて、自装置を振動させるタイミングを指定する連動振動データを含むことを特徴とする請求項１に記載の端末装置。
【請求項３】
　前記出力制御部は、さらに、
　自装置を点灯させる点灯制御部を有し、
　前記設定情報は、自装置を点灯させることを指定する点灯情報を含み、
　前記制御データは、前記コンテンツの表示に連動させて、自装置を点灯させるタイミングを指定する連動点灯データを含むことを特徴とする請求項１又は２に記載の端末装置。
【請求項４】
　映像を含むコンテンツを表示する表示装置であって、
　任意の端末装置と情報を送受信する送受信部と、
　前記端末装置から受信した設定情報であって、前記コンテンツの表示に連動させて、前記端末装置のみで出力する要素を指定する情報である設定情報を記憶する記憶領域と、
　前記設定情報に指定された要素を、前記コンテンツの表示に連動させて前記端末装置のみで出力するための制御データを、前記送受信部を介して前記端末装置へ送信させる連動制御部と、を備える表示装置。
【請求項５】
　映像を含むコンテンツを表示する表示装置と、端末装置とを連動させて前記コンテンツを視聴する端末装置連動システムであって、
　前記端末装置は、
　前記表示装置と情報を送受信する送受信部と、
　前記コンテンツの表示に連動させて前記端末装置のみで出力する要素を指定する情報である設定情報を受け付ける入力部と、
　前記設定情報を前記表示装置へ送信した後、前記設定情報に指定された要素を、前記コンテンツの表示に連動させて前記端末装置のみで出力するための制御データを前記表示装置から受信するように制御する連動制御部と、
　前記コンテンツの表示に連動させて、前記制御データを用いて、前記要素を出力する出力制御部と、を備え、
　前記表示装置は、
　前記端末装置と情報を送受信する送受信部と、
　前記端末装置から受信した、前記設定情報を記憶する記憶領域と、
　前記設定情報を用いて、前記制御データを、前記送受信部を介して前記端末装置へ送信させる連動制御部と、を備える端末装置連動システム。
【請求項６】
　端末装置が、映像を含むコンテンツを表示する表示装置を連動させる端末装置連動方法がであって、
　前記コンテンツの表示に連動させて前記端末装置のみで出力する要素を指定する情報である設定情報を受け付け、
　前記設定情報を前記表示装置へ送信し、
　前記設定情報に指定された要素を、前記コンテンツの表示に連動させて前記端末装置のみで出力するための制御データを前記表示装置から受信し、
　前記コンテンツの表示に連動させて、前記制御データを用いて、前記要素を出力する端末装置連動方法。
【請求項７】
　映像を含むコンテンツを表示する表示装置が、任意の端末装置と連動する端末装置連動方法であって、
　前記コンテンツの表示に連動させて、前記端末装置のみで出力する要素を指定する情報である設定情報を、前記端末装置から受信し、
　受信した設定情報を記憶領域に記憶し、
　前記設定情報に指定された要素を、前記コンテンツの表示に連動させて前記端末装置のみで出力するための制御データを、前記端末装置へ送信する端末装置連動方法。
【請求項８】
　端末装置を、映像を含むコンテンツを表示する表示装置と連動して動作させるプログラムであって、
　コンピュータに、
　前記コンテンツの表示に連動させて前記端末装置のみで出力する要素を指定する情報である設定情報を受け付ける処理と、
　前記設定情報を前記表示装置へ送信する処理と、
　前記設定情報に指定された要素を、前記コンテンツの表示に連動させて前記端末装置のみで出力するための制御データを前記表示装置から受信する処理と、
　前記コンテンツの表示に連動させて、前記制御データを用いて、前記要素を出力する処理と、を実行させるプログラム。
【請求項９】
　映像を含むコンテンツを表示する表示装置が、任意の端末装置を連動して動作させるプログラムであって、
　コンピュータに、
　前記コンテンツの表示に連動させて、前記端末装置のみで出力する要素を指定する情報である設定情報を、前記端末装置から受信する処理と、
　前記設定情報を記憶領域に記憶する処理と、
　前記設定情報に指定された要素を、前記コンテンツの表示に連動させて前記端末装置のみで出力するための制御データを、前記端末装置へ送信する処理と、を実行させるプログラム。
【請求項１０】
　映像を含むコンテンツを表示する表示装置と、端末装置とを連動させて前記コンテンツを視聴する端末装置連動方法であって、
　前記端末装置は、
　前記コンテンツの表示に連動させて前記端末装置のみで出力する要素を指定する情報である設定情報を受け付け、
　前記設定情報を前記表示装置へ送信し、
　前記設定情報に指定された要素を、前記コンテンツの表示に連動させて前記端末装置のみで出力するための制御データを前記表示装置から受信し、
　前記コンテンツの表示に連動させて、前記制御データを用いて、前記要素を出力し、
　前記表示装置は、
　前記設定情報を、前記端末装置から受信し、
　前記設定情報を記憶領域に記憶し、
　前記設定情報を用いて、前記制御データを前記端末装置へ送信する、端末装置連動方法。」
（本件補正後の特許請求の範囲）
「【請求項１】
　映像を含むコンテンツを表示する表示装置と通信可能な端末装置であって、
　前記表示装置と情報を送受信する送受信部と、
　前記コンテンツの表示に連動させて前記端末装置のみで出力する要素を指定する情報である設定情報を受け付ける入力部と、
　前記設定情報を前記表示装置へ送信した後、前記設定情報に指定された要素を、前記コンテンツの表示に連動させて前記端末装置のみで出力するための制御データ
であって、前記コンテンツの映像を示す情報を用いて前記表示装置によって生成された制御データ
　前記コンテンツの表示に連動させて、前記制御データを用いて、前記要素を出力する出力制御部と、を備える端末装置。
【請求項２】
　前記出力制御部は、さらに、
　自装置を振動させる振動制御部を有し、
　前記設定情報は、自装置を振動させることを指定する振動情報を含み、
　前記制御データは、前記コンテンツの表示に連動させて、自装置を振動させるタイミングを指定する連動振動データを含むことを特徴とする請求項１に記載の端末装置。
【請求項３】
　前記出力制御部は、さらに、
　自装置を点灯させる点灯制御部を有し、
　前記設定情報は、自装置を点灯させることを指定する点灯情報を含み、
　前記制御データは、前記コンテンツの表示に連動させて、自装置を点灯させるタイミングを指定する連動点灯データを含むことを特徴とする請求項１又は２に記載の端末装置。
【請求項４】
　映像を含むコンテンツを表示する表示装置であって、
　任意の端末装置と情報を送受信する送受信部と、
　前記端末装置から受信した設定情報であって、前記コンテンツの表示に連動させて、前記端末装置のみで出力する要素を指定する情報である設定情報を記憶する記憶領域と、
　前記設定情報に指定された要素を、前記コンテンツの表示に連動させて前記端末装置のみで出力するための制御データを
、前記コンテンツの映像を示す情報を用いて生成し、前記生成された制御データを
【請求項５】
　映像を含むコンテンツを表示する表示装置と、端末装置とを連動させて前記コンテンツを視聴する端末装置連動システムであって、
　前記端末装置は、
　前記表示装置と情報を送受信する送受信部と、
　前記コンテンツの表示に連動させて前記端末装置のみで出力する要素を指定する情報である設定情報を受け付ける入力部と、
　前記設定情報を前記表示装置へ送信した後、前記設定情報に指定された要素を、前記コンテンツの表示に連動させて前記端末装置のみで出力するための制御データ
であって、前記コンテンツの映像を示す情報を用いて前記表示装置によって生成された制御データ
　前記コンテンツの表示に連動させて、前記制御データを用いて、前記要素を出力する出力制御部と、を備え、
　前記表示装置は、
　前記端末装置と情報を送受信する送受信部と、
　前記端末装置から受信した、前記設定情報を記憶する記憶領域と、
　前記設定情報を用いて、前記制御データを、前記送受信部を介して前記端末装置へ送信させる連動制御部と、を備える端末装置連動システム。
【請求項６】
　端末装置が、映像を含むコンテンツを表示する表示装置を連動させる端末装置連動方法がであって、
　前記コンテンツの表示に連動させて前記端末装置のみで出力する要素を指定する情報である設定情報を受け付け、
　前記設定情報を前記表示装置へ送信し、
　前記設定情報に指定された要素を、前記コンテンツの表示に連動させて前記端末装置のみで出力するための制御データ
であって、前記コンテンツの映像を示す情報を用いて前記表示装置によって生成された制御データ
　前記コンテンツの表示に連動させて、前記制御データを用いて、前記要素を出力する端末装置連動方法。
【請求項７】
　映像を含むコンテンツを表示する表示装置が、任意の端末装置と連動する端末装置連動方法であって、
　前記コンテンツの表示に連動させて、前記端末装置のみで出力する要素を指定する情報である設定情報を、前記端末装置から受信し、
　受信した設定情報を記憶領域に記憶し、
　前記設定情報に指定された要素を、前記コンテンツの表示に連動させて前記端末装置のみで出力するための制御データを
、前記コンテンツの映像を示す情報を用いて生成し、前記生成された制御データを
【請求項８】
　端末装置を、映像を含むコンテンツを表示する表示装置と連動して動作させるプログラムであって、
　コンピュータに、
　前記コンテンツの表示に連動させて前記端末装置のみで出力する要素を指定する情報である設定情報を受け付ける処理と、
　前記設定情報を前記表示装置へ送信する処理と、
　前記設定情報に指定された要素を、前記コンテンツの表示に連動させて前記端末装置のみで出力するための制御データ
であって、前記コンテンツの映像を示す情報を用いて前記表示装置によって生成された制御データ
　前記コンテンツの表示に連動させて、前記制御データを用いて、前記要素を出力する処理と、を実行させるプログラム。
【請求項９】
　映像を含むコンテンツを表示する表示装置が、任意の端末装置を連動して動作させるプログラムであって、
　コンピュータに、
　前記コンテンツの表示に連動させて、前記端末装置のみで出力する要素を指定する情報である設定情報を、前記端末装置から受信する処理と、
　前記設定情報を記憶領域に記憶する処理と、
　前記設定情報に指定された要素を、前記コンテンツの表示に連動させて前記端末装置のみで出力するための制御データを
、前記コンテンツの映像を示す情報を用いて生成し、前記生成された制御データを
【請求項１０】
　映像を含むコンテンツを表示する表示装置と、端末装置とを連動させて前記コンテンツを視聴する端末装置連動方法であって、
　前記端末装置は、
　前記コンテンツの表示に連動させて前記端末装置のみで出力する要素を指定する情報である設定情報を受け付け、
　前記設定情報を前記表示装置へ送信し、
　前記設定情報に指定された要素を、前記コンテンツの表示に連動させて前記端末装置のみで出力するための制御データ
であって、前記コンテンツの映像を示す情報を用いて前記表示装置によって生成された制御データ
　前記コンテンツの表示に連動させて、前記制御データを用いて、前記要素を出力し、
　前記表示装置は、
　前記設定情報を、前記端末装置から受信し、
　前記設定情報を記憶領域に記憶し、
　前記設定情報を用いて、前記制御データを前記端末装置へ送信する、端末装置連動方法。」
　すなわち、本件補正は、以下に示す補正事項を有している。
（１）補正事項１
　請求項１，５，６，８，１０において、
（補正前）「前記設定情報に指定された要素を、前記コンテンツの表示に連動させて前記端末装置のみで出力するための制御データ」
　とあるのを、
（補正後）「前記設定情報に指定された要素を、前記コンテンツの表示に連動させて前記端末装置のみで出力するための制御データであって、前記コンテンツの映像を示す情報を用いて前記表示装置によって生成された制御データ」
　とする補正。
（２）補正事項２
　請求項４，７，９において、
（補正前）「前記設定情報に指定された要素を、前記コンテンツの表示に連動させて前記端末装置のみで出力するための制御データを、」
　とあるのを、
（補正後）「前記設定情報に指定された要素を、前記コンテンツの表示に連動させて前記端末装置のみで出力するための制御データを、前記コンテンツの映像を示す情報を用いて生成し、前記生成された制御データを、」
　とする補正。
２．補正の適否
（１）上記補正事項１，２は、願書に最初に添付した明細書の段落【００３４】の記載に基づくものであり、願書に最初に添付した明細書、特許請求の範囲又は図面に記載した事項の範囲内においてする補正であるから、特許法第１７条の２第３項の規定に違反するところはない。
（２）上記補正事項１，２は、請求項１ないし１０に記載した発明を特定するために必要な事項である「制御データ」の内容を限定するものであり、補正前の請求項１ないし１０に記載された発明と補正後の請求項１ないし１０に記載された発明の産業上の利用分野及び解決しようとする課題が同一であるから、特許法第１７条の２第５項第２号の特許請求の範囲の減縮を目的とするものに該当し、また、特許法第１７条の２第４項に違反するところはない。
（３）以上のように、本件補正は、特許請求の範囲の減縮を目的とするものに該当するから、本件補正後の請求項１ないし１０に記載された発明（以下、「補正発明１」などという。）が、特許法第１７条の２第６項において準用する同法第１２６条第７項に規定された特許出願の際独立して特許を受けることができるものであるか否かについて以下に検討する。
（３−１）補正発明１について
ア．刊行物の記載事項及び引用発明
（ア）原査定の拒絶の理由に引用された特開２０００−４１１９８号公報（以下、「刊行物１」という。）には、図面と共に次に掲げる事項が記載されている。
「【００１７】図１は、テレビ・コンパニオン装置（ＴＣＤ）１２０の様々な実施例を備えた新規のテレビ・システム１０１のブロック図である。このシステム１０１のテレビ１００は、一般視聴者６５に内容を提示し、通信リンク（１０９、１２１）を介して複数のテレビ・コンパニオン装置１２０と通信する。好ましい一実施例では、ＴＣＤ１２０は、個別のカスタム化情報を視聴者に提示するために使用するハンドヘルド装置である。代替実施例では、たとえば、テレビ会議室またはバーでは、ＴＣＤ１２０を各視聴者６５に提供された端末、たとえば、テーブルまたはデスク内に取り付けることができる。この場合の目標は、各個人６５（ＴＣＤの保有者／ユーザ）ごとに一般視聴者６５（テレビ）にとって関心のある情報ストリームを識別し、選択し、視聴することである。これにより、視聴者（たとえば、６５のうちの複数）は、一般視聴者６５と個人視聴者６５の両方にとって娯楽または情報価値が最も高いストリームを見つけて視聴しやすくなる。
【００１８】情報ストリーム１８５は、テレビ・ネットワークにより放送されたオーディオ（たとえば、英語またはスペイン語によるサッカーの試合の実況放送）、ビデオ（たとえば、サッカーの試合の動画像）、データ（たとえば、選手に関する統計データ）、グラフィック（たとえば、統計データのグラフ）、静止画像（たとえば、選手の写真）、またはアニメーション・ストリーム（たとえば、試合中のプレイを図解し説明するコンピュータ生成ビデオ）である。好ましい実施例では、このような情報ストリームまたはストリーム、通常は１８５は、ＭＰＥＧ−２規格で指定されたように、複数のバイト・パケット、通常は１８８を含む。好ましい実施例では、これらは、まとめて時分割多重化され、１つのプログラム・ストリーム、通常は１８６を生成する。次に、１つまたは複数のプログラム・ストリーム１８６をまとめて多重化し、放送局から伝送されるトランスポート・ストリーム（ＴＳ）１９１を生成することができる。（ＴＳ１９１内の情報ストリーム１８５のそれぞれを識別するために、周知のプログラム識別子（ＰＩＤ）を使用する。）ディジタル・テレビでは、トランスポート・ストリーム１９１は、ＶＨＦまたはＵＨＦチャネル上で視聴者６５に放送される。
【００１９】上記のように、重要な操作の一部は、情報ストリーム１８５の識別、選択、聴衆（６５）への提示である。テレビ１００は一般視聴者６５のための選択を行わなければならないが、個人視聴者６５にとって関心のあるストリーム１８５は、テレビ１００またはＴＣＤ１２０によって選択することができる。後述するように、選択プロセスは自動的に実行できる場合もあれば、視聴者６５による手動介入が必要な場合もある。選択されると、一般視聴者６５向けのストリーム１８５はテレビ１００上に出力される。個人視聴者６５向けに選択されたストリーム１８５はテレビ１００によってＴＣＤ１２０に伝送され、そこでＴＣＤ出力（１２５〜１２７）、たとえば、オプションの表示装置（１２６〜１２７）上に出力されるか、またはオプションのオーディオ装置（１２５）に出力される。」
「【００２１】テレビ１００とＴＣＤ１２０との間の通信リンクは、複数の異なる技術を使用することができる。改良されたテレビ・システムの実施態様によっては、ＴＶ送信機１０８およびＴＣＤ受信機１２８（通信リンク）は、無線周波送信機および受信機（それぞれのＴＶアンテナ１０９およびＴＣＤアンテナ１２１を備えたもの）、光ファイバ送信機および受信機、または同軸ドライバおよび受信機にすることができる。前者の場合、前述の無線周波放送の場合のように信号は空気によって伝送される。後者の場合、光ファイバまたは同軸ケーブルがテレビ１００からＴＣＤ１２０に通信（Comm）信号１４０を伝送する。このような技術は周知のものである。」
「【００２５】ストリーム１８５が受信されると、オプションのＴＶプロセッサ１１２は、ストリーム１８５内のデータをサーチして、ビデオ・セグメントなどのタイトルのような重要な情報を突き止める。次に、この情報は、選択するために選ぶことができる他の情報ストリーム１８５の存在を視聴者６５に知らせるために、ＴＶ画面１０７上にＴＶプロセッサ１１２によって表示することができる。ＴＶプロセッサ１１２は、視聴者６５がＴＶ画面１０７またはＴＣＤ画面１２７のいずれかに表示させることができるメニューを生成する。メニューがＴＣＤ画面１２７上に表示される場合、ＴＶプロセッサ１２７はメニューを（ＴＣＤ）プロセッサ１３４に送信する。この送信操作については後述する。以下に述べるように、メニュー・ポインタ１３０を使用すると、メニュー内の項目をハイライトし、それにより、ＴＶ１００またはＴＣＤ１２０のいずれかに出力するために情報ストリーム１８５を選択することができる。」
「【００３０】ＴＣＤ１２０向けのこのようなストリーム／セグメント１０９Ａは、既知のＴＶ出力、たとえば、アンテナ１０９により既知のＴＶ送信機１０８を介して放送される。改良されたテレビ・システム１０１の一部の実施態様では、ＴＶ送信機１０８およびＴＣＤ受信機１２８は、赤外線送信機および受信機、光ファイバ送信機および受信機、または同軸ドライバおよび受信機になる。前者の場合、前述の無線周波放送の場合のように信号は空気によって伝送される。後者の場合、光ファイバまたは同軸ケーブルがテレビ１００からＴＣＤ１２０に通信信号１４０を伝送する。実施態様によっては、ＴＶ１００とＴＣＤ１２０との間に両方向通信が必要になる。この場合、ＴＶ１００はＴＶ  ＴＣＤ受信機１１４を含み、ＴＣＤ１２０は既知の通信技術、たとえば、上記で概説した技術の１つを使用する送信機１３５を含むことになる。」
「【００３３】多重分離されると、（ＴＣＤ）セレクタ１２４は、装置によってどのストリーム１８５を出力するかを選択する。選択したデータおよびビデオ・ストリーム１２４Ａは、（ＴＣＤ）出力、たとえば、（ＴＣＤ）画面１２７上に表示するためにビデオ出力１２６に送信される。（ＴＣＤ）画面１２７は、ＣＲＴ、平面パネル・ディスプレイ、薄膜トランジスタ（ＴＦＴ）パネル、任意のタイプのグラフィック・ディスプレイにすることができる。また、選択したオーディオ・チャネル１２４Ａも、ＴＣＤ出力、たとえば、ヘッドホンまたはスピーカで出力するためにオーディオ出力１２５に、あるいは音声認識システムを通過した後でビデオ出力１２６に送信される。前述のように、これらは既知の装置である。ただし、代替実施例では、ＴＣＤ１２０のうちの１つまたは複数はオーディオ出力１２５のみを有することになり、たとえば、ＴＣＤ１２０のユーザ６５の第１のセットは第１の言語でオーディオを受信し、同じＴＶ１００のディスプレイを見ているＴＣＤ１２０のユーザ６５の第２のセットは第２の言語でオーディオを受信する場合が考えられることに留意されたい。他の代替実施例では、ＴＣＤ１２０のうちの１つまたは複数がビデオ出力１２６のみを有することになり、たとえば、ＴＣＤ１２０のユーザ６５は、すべてのＴＣＤ１２０のユーザ６５に共通のＴＶ１００のビデオを補足するかまたは増強するようなテキスト情報のみに関心がある場合が考えられる。
【００３４】セレクタ１２４は、ＴＣＤ１２０の各個別ユーザ６５がテレビ１００によって伝送された情報ストリーム（トランスポート・ストリーム、ストリーム、またはセグメント）１８５のパーツおよびサブパーツ（セグメント）を選択できるようにする。ＴＣＤ１２０によって出力すべきストリーム（セグメント）（１０９Ａまたは１２４Ａ）の選択は、多くの代替方法で制御可能なセレクタ１２４またはＴＶセレクタ１０４によって実行される。たとえば、メニュー・ポインタ１３０を使用すると、ＴＶ画面１０７またはＴＣＤ画面１２７のいずれかに表示されるメニューから項目を選択することができる。前述のように、ＴＶプロセッサ１１２は、ユーザ６５がそこから選択できる様々なストリームの名前が付いたメニューを生成する。選択されると、ＴＣＤプロセッサ１３４は、選択したストリーム１８５を出力するよう、セレクタ１２４に指示する。あるいは、ＴＣＤ１２０向けに特定のストリーム１０９Ａを選択するようＴＶセレクタ１０４に指示するメッセージをＴＣＤプロセッサ１２４から送信機１２８を介してＴＶ１００に送信することもできる。」
（以上、刊行物１の記載。）
　
　以上の記載によれば、刊行物１には、次の技術事項が記載されていると認められる。
　
ａ．ビデオ信号等の情報ストリームを受信し、一般視聴者向けストリームを出力し、個別視聴者向けに選択されたストリームをテレビ・コンパニオン装置（ＴＣＤ）へ伝送するテレビ、及び、テレビから伝送される個別視聴者向けに選択されたストリームを出力するテレビ・コンパニオン装置（ＴＣＤ）（段落【００１７】〜【００１９】，図１〜３）。
ｂ．テレビと複数のテレビ・コンパニオン装置（ＴＣＤ）は通信リンクを介して通信し、その通信のために、ストリームを伝送するテレビのＴＶ送信機とＴＣＤの受信機、及び、両方向通信のためのテレビのＴＣＤ送信機とＴＣＤの送信機をそれぞれ備えていること（段落【００１７】，【００２１】，【００３０】，図１〜３）。
ｃ．テレビのＴＶプロセッサは、選択するために選ぶことができる他の情報ストリームを視聴者に知らせるためのメニュー画面を生成し、（ＴＣＤ）プロセッサに送信し、ＴＣＤ画面に表示すること（段落【００２５】，図２，図３）。
ｄ．ＴＣＤによって出力することを選択するストリームは、特定の言語のオーディオやテレビのビデオを補足するかまたは増強するようなテキスト情報であること（段落【００３３】）。
ｅ．ＴＣＤによって出力する情報ストリームの選択は、メニュー・ポインタを使用して、ＴＣＤ画面に表示されるメニューから項目を選択して行うこと、及び、ＴＣＤ向けに特定のストリームを選択するよう指示するメッセージを送信機を介してテレビに送信すること（段落【００２５】，【００３４】，図３）。
　まとめると、刊行物１には、次の発明（以下、「引用発明１」という。）が記載されていると認められる。
（引用発明１）
　ビデオ信号等の情報ストリームを出力するテレビと通信可能なテレビ・コンパニオン装置（ＴＣＤ）であって、
　テレビから情報ストリームを受信する受信機とメッセージを送信する送信機と、
　ＴＣＤによって出力することを選択する情報ストリームは、特定の言語のオーディオやテレビのビデオを補足するかまたは増強するようなテキスト情報であって、メニュー・ポインタを使用して、ＴＣＤ画面に表示されるメニュー画面から項目を選択して、ＴＣＤによって出力する情報ストリームを選択する、メニュー・ポインタ及びメニュー画面と、を備え、
　ＴＣＤ向けに特定の情報ストリームを選択するよう指示するメッセージをテレビに送信し、選択された情報ストリームをテレビから受信し、
　選択された特定の情報ストリームを出力する、テレビ・コンパニオン装置（ＴＣＤ）。
（イ）同じく、原査定の拒絶の理由に引用された特開２００５−３３３３６５号公報（以下、「刊行物２」という。）には、図面と共に次に掲げる事項が記載されている。
「【００１３】
　図１は、本発明の一実施形態に係わる放送番組連動型演出システムのシステム構成を説明するために引用した図である。
　図１において、符号１は、携帯電話端末であり、バイブレータ１０を内蔵し、赤外線によるチャンネルリモコン機能を持つ。携帯電話端末１が持つチャンネルリモコン機能については、例えば、特開２００３−７８９７７号公報により周知である。ここでは、携帯電話端末１は、放映中の放送番組と連動して内蔵するバイブレータ１０のＯＮ、ＯＦＦを制御する機能を持つ。
　なお、符号２は、放送番組が放映されるＴＶ受像機である。
【００１４】
　符号３は、コンテンツプロバイダが管理するコンテンツサーバであり、放送番組と連動するための携帯電話端末１が内蔵するバイブレータ１０の振動パターンデータが保存され、携帯端末１からの要求に基づきその配信サービスを行う。このため、コンテンツサーバ３は、ＩＰ（Internet Protocol）網５ならびに携帯電話網６、そして、基地局７経由で携帯電話端末１に接続される。
　符号４は、放送局に設置される放送システムであり、放送システム４は、放送番組を地上波等により家庭内のＴＶ受像機２に放映する。また、放送システム４は、ＩＰ網５を介してコンテンツサーバ３に接続され、両者間で時刻の同期や番組情報等のやりとりが行われても良い。
【００１５】
　図２は、図１に示す本発明実施形態の携帯電話端末１の内部構成を機能展開して示したブロック図である。
　本発明実施形態に係わる携帯電話端末１は、振動パターンデータ記憶部１１と、バイブレータ制御部１２と、振動パターンデータ取得部１３と、振動パターン切替部１４と、タイマ設定監視部１５と、チャンネル（ＣＨ）変更検出部１６と、ＣＨ指示出力部１７と、ＣＨ指示部１８で構成される。
【００１６】
　振動パターンデータ記憶部１１には、コンテンツサーバ３から配信される、放送番組と連動するためのバイブレータ１０の振動パターンデータが格納される。ここで、「連動」とは、例えば、放送番組で電話が鳴るシーンでリアルタイムに携帯電話端末１内蔵のバイブレータがＯＮ／ＯＦＦするように動作することをいう。
　また、バイブレータ制御部１２は、振動パターンデータ記憶部１１から振動パターンデータを読み出し、バイブレータ１０のＯＮ／ＯＦＦを制御する機能を持つ。
【００１７】
　一方、振動パターンデータ取得部１３は、振動パターンデータを、ＩＰ網５を介して接続されるコンテンツサーバ３から取得する機能を持ち、また、振動パターン切替部１４は、ユーザから受信チャンネルの変更指示があったとき、振動パターンデータ記憶部１１を参照し、変更先の放送番組に該当する振動パターンデータを読み出してバイブレータ制御部１２へ供給する機能を持つ。」
（以上、刊行物２の記載。）
　
　以上の記載によれば、刊行物２には、携帯電話端末１に関し、コンテンツサーバ３から配信される振動パターンデータを格納した振動パターンデータ記憶部１１から振動パターンデータを読み出し、ＴＶ受像機２で放映される放送番組と連動して、例えば、電話が鳴るシーンでリアルタイムに携帯電話端末１内蔵のバイブレータ１０がＯＮ／ＯＦＦするように制御する技術が開示されている。
（ウ）同じく、原査定の拒絶の理由に引用された特開２００２−１５９０６６号公報（以下、「刊行物３」という。）には、図面と共に次に掲げる事項が記載されている。
「【００２６】
【発明の実施の形態】本発明はＷＷＷ(World Wide Web)ブラウザ機能を有し、複数のパートの楽音の楽音データを有する演奏データ（ＭＩＤＩ(Musical Instrument Digital Interface)データ等）をＷＷＷサーバからインターネット等のネットワークを介して取得し、取得した演奏データに基づいて演奏される音楽を着信音として使用できる携帯電話において、取得した演奏データに含まれる複数のパートの楽音のうちの指定のパートの楽音と同調してＬＥＤを点滅させ及び／又はバイブレータを振動／停止させるものである。ここで、パートとは、主旋律のパート、副旋律のパート、伴奏のパート等である。また、ＬＥＤの点滅の指定のパートの楽音との同調とは、指定のパートの楽音が鳴るときにＬＥＤを点灯させ、そのパートの楽音が鳴らないときにＬＥＤを消灯させることである。また、バイブレータの信号の指定のパートの楽音との同調とは、指定のパートの楽音が鳴るときにバイブレータを振動させ、そのパートの楽音が鳴らないときにバイブレータを停止させることである。」
　以上の記載によれば、刊行物３には、携帯電話に関し、複数のパートの楽音の楽音データを有する演奏データ（ＭＩＤＩ(Musical Instrument Digital Interface)データ等）をＷＷＷサーバからインターネット等のネットワークを介して取得し、取得した演奏データに基づいて演奏される音楽を着信音として使用できる携帯電話において、取得した演奏データに含まれる複数のパートの楽音のうちの指定のパートの楽音と同調してＬＥＤを点滅させ及び／又はバイブレータを振動／停止させる技術が開示されている。
（エ）前置報告で提示された特表２００５−５２３６１２号公報（以下、「刊行物４」という。）には、図面と共に次に掲げる事項が記載されている。
「【００１６】
　図１に示すように、中央で制御された周辺環境変調器（アクチュエータ）は、現実感のある環境をユーザのために創造するように、テレビあるいはホームシアターシステムに組み込んでも良い。双方向テレビあるいは高機能化テレビに提供される現在のデータチャネルを使用することで、データには、テレビの外部で発生するその他の感覚あるいは環境動作を提供するように周辺機器を制御するテレビ信号が含まれても良い。例えば、芳香発生器といった装置は、視覚環境において匂いを提供するのに使用しても良い。これらの香りは、例えば、映画や番組あるいはコマーシャルで観られる食品といったスクリーンに存在するものに対応しても良い。食品以外のものも同様に見ている場所へ匂いを加えることで拡張される。例えば、花、植物、香水、海の霧、交通渋滞等といった多彩な香りは、視聴者により強い現実的な感覚と体験を与えるように対応する映像シーンに加えたりもする。
【００１７】
　振動アクチュエータは、スクリーンに映し出される視覚的状態に対応する動きをシミュレートするように椅子、ソファあるいは他の家具の見る場所の付近に備え付けてもよい。例えば、波の動きは、海のシーンの時に椅子に取り付けられた振動アクチュエータでシミュレートしても良い。種々の溶液を組み合わせ、それを視聴者の口に配置される不活性又は食用のマトリックスに付着させることにより、味覚を生み出すことが可能な装置は、開示の発明と共に使用される。例えば、パン作りの番組では、拡張されたテレビ信号において特定の食品の味覚コードを送出することによって、視聴者にデジタル化された味覚をダウンロードすることが可能である。
【００１８】
　扇風機、暖房器具、加湿器、冷房器具あるいは他の空気処理装置はまた、気象あるいは目でとらえた他の環境に応じた条件をシミュレートするのに使用される。雷、震動、騒音等といったその他の環境要素は、これらの要素それぞれに対して特定のアクチュエータで利用可能である。超低周波および超音波の振動は、視聴者に環境刺激をシミュレートするのに使用しても良い。空気の圧力波は、例えば雨や他の触感による感覚といった、他の手段では実現不可能な感覚の効果をシミュレートするのに使用しても良い。
【００１９】
　セットトップボックスに内蔵される高度な環境制御装置は、ビデオ、ＤＶＤあるいは他のあらかじめ記録された記憶装置でローカルに生成されるもの、あるいはラジオ、ケーブル、インターネット、衛星等といった放送信号として得られるもの、あるいはその組合せであるアナログあるいはデジタルの入力信号を処理するのに利用しても良い。各プログラムは、制御データあるいは環境周辺機器のスクリプトを含むフィード（例えばアナログチャンネルにおける放送電波の隙間）に組み込まれたデータを有する。システム制御装置は、制御信号を復調し、特定のスクリーンに表示された事象と一致する方法でこの制御データを選択された周辺機器を作動し、管理するために配信する。」
「【００２５】
　拡張された環境制御コードを含まないローカルのあるいは放送ビデオ信号については、これらのコード（すなわちタグ及びマーカー）は、再生現場で生成され、本発明に基づいてデータベース装置を使用した自動化された方法あるいは同時あるいはほぼ同時（遅延）方法によって挿入しても良い。本発明では、ビデオストリーム内のタグ及びマーカーを簡単かつ容易な方法で供給可能で、それは、制御信号を生成して種々の異なる方法で環境制御装置を作動するために使用可能なタグ及びマーカーである。適切な識別タグあるいはマーカーを含まないあるいは有さない入力信号に対してオーディオ／ビデオ認識技術を使用することによって、エンドユーザのサイトに使用可能な拡張された環境制御を供給することができる。」
（以上、刊行物４の記載。）
　以上の記載によれば、刊行物４には、高機能化テレビに関し、周辺環境変調器（アクチュエータ）は、スクリーンに映し出される視覚的状態に対応する動きをシミュレートするように椅子、ソファあるいは他の家具に備え付けられるものや、芳香発生器、味覚を出すことが可能な装置、空気処理装置、雷、振動、騒音等を発生させる特定のアクチュエータであり、現実感のある環境をユーザのために想像するように、テレビ信号に含まれる制御データにより周辺環境変調器を制御する技術が開示されており、さらに、拡張された環境制御コードを含まないローカルのあるいは放送ビデオ信号である場合には、拡張された環境制御コードは、オーディオ／ビデオ認識技術を使用することによって再生現場で生成される技術が開示されている。
イ．対比
　補正発明１と引用発明１とを対比すると、次のことが認められる。
（ａ）「映像を含むコンテンツを表示する表示装置と通信可能な端末装置」について
　引用発明１の「テレビ」及び「テレビ・コンパニオン装置（ＴＣＤ）」は、それぞれ補正発明１の「表示装置」及び「端末装置」に対応し、引用発明１の「ビデオ信号等の情報ストリームを出力するテレビと通信可能なテレビ・コンパニオン装置（ＴＣＤ）」は、補正発明１の「映像を含むコンテンツを表示する表示装置と通信可能な端末装置」と相違しない。
（ｂ）「前記表示装置と情報を送受信する送受信部」について
　引用発明１の「テレビから情報ストリームを受信する受信機とメッセージを送信する送信機」は、補正発明１の「前記表示装置と情報を送受信する送受信部」に対応する。
（ｃ）「前記コンテンツの表示に連動させて前記端末装置のみで出力する要素を指定する情報である設定情報を受け付ける入力部」について
　引用発明１の「ＴＣＤによって出力することを選択する情報ストリーム」であり、「特定の言語のオーディオやテレビのビデオを補足するかまたは増強するようなテキスト情報」は、テレビにおける情報ストリームの表示に連動させてテレビ・コンパニオン装置（ＴＣＤ）で出力する要素といえる。
　また、引用発明１の「メニュー・ポインタを使用して、ＴＣＤ画面に表示されるメニュー画面から項目を選択して、ＴＣＤによって出力する情報ストリームを選択する、メニュー・ポインタ及びメニュー画面」は、テレビ・コンパニオン装置（ＴＣＤ）で出力する要素を指定する情報を受け付けるユーザ・インターフェースである。
　すなわち、引用発明１は、テレビにおける情報ストリームの表示に連動させてテレビ・コンパニオン装置（ＴＣＤ）で出力する要素を指定する情報を受け付けるユーザ・インターフェースを有しており、引用発明１のこれら構成は、補正発明１の「前記コンテンツの表示に連動させて前記端末装置で出力する要素を指定する情報である設定情報を受け付ける入力部」に対応する構成を有している。
　もっとも、「前記端末装置で出力する要素」が、補正発明１では、端末装置「のみ」で出力する要素であるのに対し、引用発明１では、そのようなものではない点で相違する。
（ｄ）「前記設定情報を前記表示装置へ送信した後、前記設定情報に指定された要素を、前記コンテンツの表示に連動させて前記端末装置のみで出力するための制御データであって、前記コンテンツの映像を示す情報を用いて前記表示装置によって生成された制御データを前記表示装置から受信するように制御する連動制御部」について
　引用発明１は「ＴＣＤ向けに特定の情報ストリームを選択するよう指示するメッセージをテレビに送信し、選択された情報ストリームをテレビから受信」するものであり、そのような送受信を制御する制御部の存在も明らかである。
　ここで、引用発明１の「ＴＣＤ向けに特定の情報ストリームを選択するよう指示するメッセージ」は、ＴＣＤで出力する要素を指定する情報を含む設定情報といえる。
　また、補正発明１の「制御データ」は、本願明細書の段落【００２０】によれば、設定情報に指定された要素を、コンテンツの表示に連動させて出力するためのデータであり、連動音声データ、連動字幕データ、連動振動データ、連動点灯データなどであるから、引用発明１の、特定の言語のオーディオやテレビのビデオを補足するかまたは増強するようなテキスト情報である情報ストリームは、補正発明１の「制御データ」に対応する。
　そして、メッセージをテレビに送信した後に、情報ストリームをテレビから受信することは明かであるから、引用発明１の当該構成は、補正発明１の「前記設定情報を前記表示装置へ送信した後、前記設定情報に指定された要素を、前記コンテンツの表示に連動させて前記端末装置で出力するための制御データを前記表示装置から受信するように制御する連動制御部」に対応するものである。
　もっとも、「前記設定情報に指定された要素を、前記コンテンツの表示に連動させて前記端末装置で出力するための制御データ」が、補正発明１では、前記設定情報に指定された要素を、前記端末装置「のみ」で出力するための制御データであるのに対し、引用発明１では、そのようなものではない点、及び、「制御データ」が、補正発明１では、「前記コンテンツの映像を示す情報を用いて前記表示装置によって生成された」ものであるのに対し、引用発明１では、そのようなものではない点で相違する。
（ｅ）「前記コンテンツの表示に連動させて、前記制御データを用いて、前記要素を出力する出力制御部」について
　引用発明１は「選択された特定の情報ストリームを出力する、テレビ・コンパニオン装置（ＴＣＤ）」であり、「情報ストリーム」は、上記（ｄ）で述べたように、制御データに相当するものであり、上記（ｃ）で述べたように、テレビにおける情報ストリームの表示に連動させて、指定された要素を出力するものといえる。
　すなわち、テレビにおける情報ストリームの表示に連動させて、制御データを用いて、指定された要素を出力するものであり、そのような制御を実行する「制御部」の存在も明らかである。
　そうすると、引用発明１は、補正発明１の「前記コンテンツの表示に連動させて、前記制御データを用いて、前記要素を出力する出力制御部」を有するといえ、補正発明１と相違しない。
　以上の（ａ）ないし（ｅ）を踏まえると、補正発明１と引用発明１との［一致点］及び［相違点］は以下のとおりである。
［一致点］
　映像を含むコンテンツを表示する表示装置と通信可能な端末装置であって、
　前記表示装置と情報を送受信する送受信部と、
　前記コンテンツの表示に連動させて前記端末装置で出力する要素を指定する情報である設定情報を受け付ける入力部と、
　前記設定情報を前記表示装置へ送信した後、前記設定情報に指定された要素を、前記コンテンツの表示に連動させて前記端末装置で出力するための制御データを前記表示装置から受信するように制御する連動制御部と、
　前記コンテンツの表示に連動させて、前記制御データを用いて、前記要素を出力する出力制御部と、を備える端末装置。
［相違点１］
　「前記端末装置で出力する要素」が、補正発明１では、端末装置「のみ」で出力する要素であるのに対し、引用発明１では、そのようなものではない点。
［相違点２］
　「前記設定情報に指定された要素を、前記コンテンツの表示に連動させて前記端末装置で出力するための制御データ」が、補正発明１では、前記設定情報に指定された要素を、前記端末装置「のみ」で出力するための制御データであるのに対し、引用発明１では、そのようなものではない点、及び、「制御データ」が、補正発明１では、「前記コンテンツの映像を示す情報を用いて前記表示装置によって生成された」ものであるのに対し、引用発明１では、そのようなものではない点。
ウ．判断
　上記相違点について検討する。
［相違点１について］
　刊行物２には、上記「ア．刊行物の記載事項及び引用発明」の（イ）に示したように、サーバから配信される振動パターンデータにより、ＴＶ受像機で放映される放送番組に連動させて携帯端末のバイブレータを作動させる技術が記載されており、携帯端末のバイブレータの作動は携帯端末のみで行われるものであるから、刊行物２には、ＴＶ受像機で放映される放送番組に連動させて携帯端末のみで出力する要素を制御する技術が開示されているといえる。
　そして、引用発明１のテレビと連動する通信可能なテレビ・コンパニオン装置（ＴＣＤ）に、刊行物２に記載されるＴＶ受像機と連動する携帯端末に関する公知技術を適用することは、当業者が容易に想到し得ることであり、その適用により、相違点１に係る「端末装置で出力する要素」を「端末装置のみで出力する要素」とすることは、当業者が容易になし得ることである。
［相違点２について］
　上記［相違点１について］で検討したように、刊行物２に記載される公知技術から、「端末装置で出力する要素」を「端末装置のみで出力する要素」とすることは当業者が容易になし得ることであるから、同様の理由により、その要素を出力するための制御データを『前記設定情報に指定された要素を、前記端末装置「のみ」で出力するための制御データ』とすることも、当業者が容易に想到し得ることである。
　しかし、刊行物２に記載される公知技術は、ＴＶ受像機で放映される放送番組に連動する携帯端末のバイブレータの作動を、サーバから配信される振動パターンデータにより行う技術であって、振動パターンデータを放送番組の映像情報を用いて生成するものではなく、振動パターンデータをＴＶ受像機で生成するものでもない。
　よって、端末装置のみで出力する要素を出力するための制御データを「前記コンテンツの映像を示す情報を用いて前記表示装置によって生成された」ものとすることは、刊行物２の記載から当業者が容易に想到し得るものではない。
　また、刊行物３には、上記「ア．刊行物の記載事項及び引用発明」の（ウ）に示したように、携帯電話において、複数のパートの楽音の楽音データを有する演奏データをネットワークを介して取得し、取得した演奏データに含まれる複数のパートの楽音のうちの指定のパートの楽音と同調して、バイブレータを振動／停止させる技術が開示されているが、この技術は、映像情報を用いてバイブレータを振動／停止させる制御データを生成するわけではなく、しかも、バイブレータを振動／停止させる制御データが表示装置によって生成されるものでもない。
　よって、刊行物３に記載される技術からも、端末装置のみで出力する要素を出力するための制御データを「前記コンテンツの映像を示す情報を用いて前記表示装置によって生成された」ものとすることに到達するものではない。
　なお、前置報告において追加提示された刊行物４についてさらに検討すると、刊行物４には、上記「ア．刊行物の記載事項及び引用発明」の（エ）に示したように、イスなどを動かす周辺環境変調器（アクチュエータ）を作動させる制御コードを、オーディオ／ビデオ認識技術を使用することによって再生現場で生成する高機能化テレビの技術が開示されている。
　この技術は、周辺環境変調器（アクチュエータ）を作動させる制御コードを、ビデオ認識技術を使用することによって再生現場で生成するものであるものの、周辺環境変調器（アクチュエータ）は、「映像を含むコンテンツを表示する表示装置と通信可能な端末装置」において出力する要素というものではない。
　したがって、引用発明１の「映像を含むコンテンツを表示する表示装置と通信可能な端末装置」に関する発明に、刊行物４に記載される技術を適用することは困難であり、相違点２に係る「前記設定情報に指定された要素を、前記コンテンツの表示に連動させて前記端末装置で出力するための制御データ」を、前記設定情報に指定された要素を、前記端末装置「のみ」で出力するための制御データとし、「制御データ」を、「前記コンテンツの映像を示す情報を用いて前記表示装置によって生成された」ものとすることは、当業者が容易に想到し得るものではない。
　以上のように、補正発明１は、引用発明１、及び、刊行物２ないし４に記載の技術に基づいて、当業者が容易に発明をすることができたとはいえない。
（３−２）補正発明４について
ア．刊行物の記載事項及び引用発明
　刊行物１ないし４には、上記「（３−１）補正発明１について」の「ア．刊行物の記載事項及び引用発明」で摘記した事項が記載されている。
　
　上記刊行物１の記載によれば、刊行物１には、次の発明（以下、「引用発明２」という。）が記載されていると認められる。
（引用発明２）
　ビデオ信号等の情報ストリームを出力するテレビであって、
　テレビ・コンパニオン装置（ＴＣＤ）へ情報ストリームを送信するＴＶ送信機とＴＣＤからメッセージを受信するＴＣＤ送信機と、を備え、
　ＴＣＤによって出力することを選択する情報ストリームは、特定の言語のオーディオやテレビのビデオを補足するかまたは増強するようなテキスト情報であって、ＴＣＤ向けに特定の情報ストリームを選択するよう指示するメッセージをＴＣＤから受信し
　選択された情報ストリームをＴＣＤへ送信する、
　テレビ。
イ．対比
　補正発明４と引用発明２とを、上記「（３−１）補正発明１について」の「イ．対比」の検討を援用し、周知技術を参酌して対比すると、補正発明４と引用発明２との［一致点］及び［相違点］は以下のとおりである。
［一致点］
　映像を含むコンテンツを表示する表示装置であって、
　任意の端末装置と情報を送受信する送受信部と、
　前記端末装置から受信した設定情報であって、前記コンテンツの表示に連動させて、前記端末装置で出力する要素を指定する情報である設定情報を記憶する記憶領域と、
　前記設定情報に指定された要素を、前記コンテンツの表示に連動させて前記端末装置で出力するための制御データを、前記送受信部を介して前記端末装置へ送信させる連動制御部と、を備える表示装置。
［相違点１］
　「前記端末装置で出力する要素」が、補正発明１では、端末装置「のみ」で出力する要素であるのに対し、引用発明１では、そのようなものではない点。
［相違点２］
　「前記設定情報に指定された要素を、前記コンテンツの表示に連動させて前記端末装置で出力するための制御データ」が、補正発明１では、前記設定情報に指定された要素を、前記端末装置「のみ」で出力するための制御データであるのに対し、引用発明１では、そのようなものではない点、及び、「制御データを、前記送受信部を介して前記端末装置へ送信させる」ことに関し、補正発明１では、制御データを、「前記コンテンツの映像を示す情報を用いて生成し」、「前記表示装置によって生成された」制御データを、前記送受信部を介して前記端末装置へ送信させるものであるのに対し、引用発明１では、そのようなものではない点。
ウ．判断
　上記相違点２については、上記「（３−１）補正発明１について」の「ウ．判断」における検討と同様の理由により、当業者が容易に想到し得るものではなく、補正発明４は、引用発明２、及び、刊行物２ないし４に記載の技術に基づいて、当業者が容易に発明をすることができたとはいえない。
（３−３）補正発明２，３，５ないし１０について
　補正発明１と同様の技術事項を備える補正発明５，６，８，１０及び、補正発明１を引用する補正発明２，３は、補正発明１と同様に、引用発明１、及び、刊行物２ないし４に記載の技術に基づいて、当業者が容易に発明をすることができたとはいえない。
　また、補正発明４と同様の技術事項を備える補正発明７，９は、補正発明４と同様に、引用発明２、及び、刊行物２ないし４に記載の技術に基づいて、当業者が容易に発明をすることができたとはいえない。
（３−４）まとめ
　以上のことから、補正発明１ないし１０は、特許法第１７条の２第６項において準用する同法第１２６条第７項の規定に適合する。
３．むすび
　本件補正は、特許法第１７条の２第３項ないし第６項の規定に適合する。
第３．本願発明
　本件補正は上記のとおり、特許法第１７条の２第３項ないし第６項の規定に適合するから、本願の請求項１ないし１０に係る発明は、本件補正により補正された特許請求の範囲の請求項１ないし１０に記載された事項により特定されるとおりのものである。
　そして、本件補正後の請求項１ないし１０に記載された発明は、上記「第２．平成２７年１０月１９日付けの手続補正の適否」の「２．補正の適否
」の（３）のとおり、当業者が刊行物１ないし４に基づいて容易に発明をすることができたものではない。
　したがって、本願については、原査定の拒絶理由を検討してもその理由によって拒絶すべきものとすることはできない。
　また、他に本願を拒絶すべき理由を発見しない。
　よって、結論のとおり審決する。